(57)【要約】【課題】底板及び四個の側板からなる上部が開口した合成樹脂製の四角箱状のケース体の四個の上辺縁部にそれぞれ折曲側板を折曲自在に一体に延長形成し、該四個の折曲側板を該ケース体の四個の上辺縁部から四角筒状に起立保持可能な保持機構を設けてなるから、不使用時や運搬時においては、折曲側板を折曲して倒伏状態にすることができ、嵩張らずに使用の利便性を高めることができる。【解決手段】底板１ａ及び四個の側板１ｂ・１ｃ・１ｄ・１ｅからなる上部が開口した合成樹脂製の四角箱状のケース体１の四個の上辺縁部にそれぞれ折曲側板２ａ・２ｂ・２ｃ・２ｄを折曲自在に一体に延長形成し、四個の折曲側板をケース体の四個の上辺縁部から四角筒状に起立保持可能な保持機構３を設けてなる。【選択図】図１
0003107300.tif 000002
【実用新案登録請求の範囲】
【請求項１】
底板及び四個の側板からなる上部が開口した合成樹脂製の四角箱状のケース体の四個の上辺縁部にそれぞれ折曲側板を折曲自在に一体に延長形成し、該四個の折曲側板を該ケース体の四個の上辺縁部から四角筒状に起立保持可能な保持機構を設けてなることを特徴とする収納ケース。
【請求項２】
上記保持機構は、上記四個の折曲側板のうちの対向一対の折曲側板の各左右側縁部にそれぞれフラップ板を折曲自在に一体に延長形成し、該各フラップ板と隣り合う折曲側板との間に係脱機構を設けてなることを特徴とする請求項１記載の収納ケース。
【請求項３】
上記係脱機構は、上記各フラップ板に係止穴部を形成し、上記隣り合う折曲側板に該係止穴部が係脱可能な係止凸部を形成してなることを特徴とする請求項２記載の収納ケース。
【請求項４】
上記折曲側板及び該折曲側板に隣り合う二個の折曲側板の計三個の折曲側板の各上辺縁部に係脱可能なコ状の補強枠体を設けてなることを特徴とする請求項１〜３のいずれか１項に記載の収納ケース。
【請求項５】
上記補強枠体に上記折曲側板及び該折曲側板に隣り合う二個の折曲側板の計三個の折曲側板の上辺縁部に嵌脱可能な嵌合凹部及び該折曲側板の上辺縁部に形成された凹溝部に嵌脱可能な嵌合凸部を設けてなることを特徴とする請求項４記載の収納ケース。
【考案の詳細な説明】
【技術分野】
【０００１】
本考案は例えば一般家庭の衣類や道具、各種小物類を整理収納する際に用いられる収納ケースに関するものである。
【背景技術】
【０００２】
従来、この種の収納ケースとして、合成樹脂製の底面板及び四個の側面板からなり、これら五個の板材により上部が開口した四角箱状に分解組立可能に設けた構造のものが知られている。
【特許文献１】特開平８−３１８９４１号公報
【考案の開示】
【考案が解決しようとする課題】
【０００３】
しかしながらこれら従来構造の場合、上記合成樹脂製の五個の板材を互いに係止することにより上部が開口した四角箱状に組み立てる構造のため、ケース全体の組立強度及び全体の剛性が低くなり易く、比較的軽量な小物類の収納に制約されることがあるという不都合を有している。
【課題を解決するための手段】
【０００４】
本考案はこれらの不都合を解決することを目的とするもので、本考案のうちで、請求項１記載の考案は、底板及び四個の側板からなる上部が開口した合成樹脂製の四角箱状のケース体の四個の上辺縁部にそれぞれ折曲側板を折曲自在に一体に延長形成し、該四個の折曲側板を該ケース体の四個の上辺縁部から四角筒状に起立保持可能な保持機構を設けてなることを特徴とする収納ケースにある。
【０００５】
又、請求項２記載の考案は、上記保持機構は、上記四個の折曲側板のうちの対向一対の折曲側板の各左右側縁部にそれぞれフラップ板を折曲自在に一体に延長形成し、該各フラップ板と隣り合う折曲側板との間に係脱機構を設けてなることを特徴とするものであり、又、請求項３記載の考案は、上記係脱機構は、上記各フラップ板に係止穴部を形成し、上記隣り合う折曲側板に該係止穴部が係脱可能な係止凸部を形成してなることを特徴とするものであり、又、請求項４記載の考案は、上記折曲側板及び該折曲側板に隣り合う二個の折曲側板の計三個の折曲側板の各上辺縁部に係脱可能なコ状の補強枠体を設けてなることを特徴とするものであり、又、請求項５記載の考案は、上記補強枠体に上記折曲側板及び該折曲側板に隣り合う二個の折曲側板の計三個の折曲側板の上辺縁部に嵌脱可能な嵌合凹部及び該折曲側板の上辺縁部に形成された凹溝部に嵌脱可能な嵌合凸部を設けてなることを特徴とするものである。
【考案の効果】
【０００６】
本考案は上述の如く、請求項１記載の考案にあっては、底板及び四個の側板からなる上部が開口した合成樹脂製の四角箱状のケース体の四個の上辺縁部にそれぞれ折曲側板を折曲自在に一体に延長形成し、該四個の折曲側板を該ケース体の四個の上辺縁部から四角筒状に起立保持可能な保持機構を設けてなるから、四個の折曲側板を保持機構によりケース体の四個の上辺縁部から四角筒状に起立保持することにより、上部が開口した合成樹脂製の四角箱状体を組み立てることができ、一般家庭の衣類や道具、各種小物類を整理収納することができ、特に、ケース体の四個の上辺縁部に一体に延長形成された折曲側板を起立保持して組み立てる構造であるから、ケース体の存在により全体の剛性を高めることができ、比較的重量のある小物類の収納も可能となり、収納の融通性を高めることができ、かつ、不使用時や運搬時においては、折曲側板を折曲して倒伏状態にすることができ、嵩張らずに使用の利便性を高めることができる。
【０００７】
又、請求項２記載の考案にあっては、上記保持機構は、上記四個の折曲側板のうちの対向一対の折曲側板の各左右側縁部にそれぞれフラップ板を折曲自在に一体に延長形成し、該各フラップ板と隣り合う折曲側板との間に係脱機構を設けてなるから、各フラップ板を折曲して隣り合う折曲側板に重合し、係脱機構により固定することにより四個の折曲側板を容易に起立保持することができると共に容易に倒伏展開状態にすることができ、又、請求項３記載の考案は、上記係脱機構は、上記各フラップ板に係止穴部を形成し、上記隣り合う折曲側板に該係止穴部が係脱可能な係止凸部を形成してなるから、フラップ板と折曲側板との係脱を容易に行うことができ、又、請求項４記載の考案は、上記折曲側板及び該折曲側板に隣り合う二個の折曲側板の計三個の折曲側板の各上辺縁部に係脱可能なコ状の補強枠体を設けてなるから、補強枠体を折曲側板に係着することにより折曲側板相互の起立保持強度を高めることができ、又、請求項５記載の考案は、上記補強枠体に上記折曲側板及び該折曲側板に隣り合う二個の折曲側板の計三個の折曲側板の上辺縁部に嵌脱可能な嵌合凹部及び該折曲側板の上辺縁部に形成された凹溝部に嵌脱可能な嵌合凸部を設けてなるので、補強枠体を折曲側板に確実に取り付けることができ、折曲側板の起立保持強度を高めることができる。
【考案を実施するための最良の形態】
【０００８】
図１乃至図９は本考案の実施の形態例を示し、１はケース体であって、底板１ａ及び四個の側板１ｂ・１ｃ・１ｄ・１ｅからなる上部が開口した合成樹脂製の四角箱状に形成され、このケース体１の四個の上辺縁部にそれぞれ折曲側板２ａ・２ｂ・２ｃ・２ｄを薄肉部Ｍにより折曲自在に一体に延長形成している。
【０００９】
３は保持機構であって、上記四個の折曲側板２ａ・２ｂ・２ｃ・２ｄをケース体１の四個の上辺縁部から四角筒状に起立保持可能に設けられ、この場合、上記四個の折曲側板２ａ・２ｂ・２ｃ・２ｄのうちの対向一対の折曲側板２ａ・２ｃの各左右側縁部にそれぞれフラップ板３ａ・３ａ・３ｂ・３ｂを薄肉部Ｎにより折曲自在に一体に延長形成し、各フラップ板３ａ・３ａ・３ｂ・３ｂと隣り合う折曲側板２ｂ・２ｄとの間に係脱機構４を設けている。
【００１０】
この場合、係脱機構４として、上記各フラップ板３ａ・３ａ・３ｂ・３ｂに複数個の係止穴部４ａ・・・を形成し、上記隣り合う折曲側板２ｂ・２ｄに係止穴部４ａ・・・が係脱可能な係止凸部４ｂ・・・を形成してなる。
【００１１】
５は補強枠体であって、二個形成され、上記折曲側板２ａ及び折曲側板２ａに隣り合う二個の折曲側板２ｂ・２ｄの計三個の折曲側板２ａ・２ｂ・２ｄ並びに上記折曲側板２ｃ及び折曲側板２ｃに隣り合う二個の折曲側板２ｂ・２ｄの計三個の折曲側板２ｃ・２ｂ・２ｄの各上辺縁部に係脱可能なコ状に形成され、この場合、補強枠体５に上記折曲側板２ａ及び折曲側板２ａに隣り合う二個の折曲側板２ｂ・２ｄの計三個の折曲側板２ａ・２ｂ・２ｄ並びに上記折曲側板２ｃ及び折曲側板２ｃに隣り合う二個の折曲側板２ｂ・２ｄの計三個の折曲側板２ｃ・２ｂ・２ｄの各上辺縁部に嵌脱可能な嵌合凹部５ａを形成すると共に折曲側板２ａ・２ｃの上辺縁部に形成された二個ずつ計四個の凹溝部５ｂ・・・に嵌脱可能な嵌合凸部５ｃ・・・を形成して構成している。
【００１２】
６は持手穴部であって、上記折曲側板２ａ・２ｂ・２ｄに形成されている。
【００１３】
この実施の形態例は上記構成であるから、図３の如く、底板１ａ及び四個の側板１ｂ・１ｃ・１ｄ・１ｅからなる上部が開口した合成樹脂製の四角箱状のケース体１の四個の上辺縁部にそれぞれ折曲側板２ａ・２ｂ・２ｃ・２ｄを折曲自在に一体に延長形成され、図１の如く、この四個の折曲側板２ａ・２ｂ・２ｃ・２ｄを保持機構３によりケース体１の四個の上辺縁部から四角筒状に起立保持することにより、上部が開口した合成樹脂製の四角箱状体を組み立てることができ、一般家庭の衣類や道具、各種小物類を整理収納することができ、特に、ケース体１の四個の上辺縁部に一体に延長形成された折曲側板２ａ・２ｂ・２ｃ・２ｄを起立保持して組み立てる構造であるから、ケース体１の存在により全体の剛性を高めることができ、比較的重量のある小物類の収納も可能となり、収納の融通性を高めることができ、かつ、図４の如く、不使用時や運搬時においては、折曲側板２ａ・２ｂ・２ｃ・２ｄを折曲して倒伏状態にすることができ、嵩張らずに使用の利便性を高めることができる。
【００１４】
この場合、上記保持機構３は、上記四個の折曲側板２ａ・２ｂ・２ｃ・２ｄのうちの対向一対の折曲側板２ａ・２ｃの各左右側縁部にそれぞれフラップ板３ａ・３ａ・３ｂ・３ｂを折曲自在に延長形成し、各フラップ板３ａ・３ａ・３ｂ・３ｂと隣り合う折曲側板２ｂ・２ｄとの間に係脱機構４を設けてなるから、図５乃至図７の如く、各フラップ板３ａ・３ａ・３ｂ・３ｂを折曲して隣り合う折曲側板２ｂ・２ｄに重合し、係脱機構４により固定することにより四個の折曲側板２ａ・２ｂ・２ｃ・２ｄを容易に起立保持することができると共に容易に倒伏展開状態にすることができ、又、この場合、上記係脱機構４は、上記各フラップ板３ａ・３ａ・３ｂ・３ｂに複数個の係止穴部４ａ・・・を形成し、上記隣り合う折曲側板２ｂ・２ｄに係止穴部４ａ・・・が係脱可能な係止凸部４ｂ・・・を形成してなるから、フラップ板３ａ・３ａ・３ｂ・３ｂと折曲側板２ｂ・２ｄとの係脱を容易に行うことができ、又、この場合、上記折曲側板２ａ及び折曲側板２ａに隣り合う二個の折曲側板２ｂ・２ｄの計三個の折曲側板２ａ・２ｂ・２ｄ並びに上記折曲側板２ｃ及び折曲側板２ｃに隣り合う二個の折曲側板２ｂ・２ｄの計三個の折曲側板２ｃ・２ｂ・２ｄの各上辺縁部に係脱可能なコ状の二個の補強枠体５を設けているから、図８、図９の如く、補強枠体５を折曲側板２ａ・２ｂ・２ｄ並びに折曲側板２ｃ・２ｂ・２ｄに係着することにより折曲側板２ａ・２ｂ・２ｃ・２ｄの相互の起立保持強度を高めることができ、又、この場合、補強枠体５に上記折曲側板２ａ及び折曲側板２ａに隣り合う二個の折曲側板２ｂ・２ｄの計三個の折曲側板２ａ・２ｂ・２ｄ並びに上記折曲側板２ｃ及び折曲側板２ｃに隣り合う二個の折曲側板２ｂ・２ｄの計三個の折曲側板２ｃ・２ｂ・２ｄの各上辺縁部に嵌脱可能な嵌合凹部５ａを形成すると共に折曲側板２ａ・２ｃの上辺縁部に形成された凹溝部５ｂ・・・に嵌脱可能な嵌合凸部５ｃを設けてなるから、補強枠体５・５を折曲側板２ａ・２ｂ・２ｃ・２ｄに確実に取り付けることができ、折曲側板２ａ・２ｂ・２ｃ・２ｄの相互の起立保持強度を高めることができる。
【００１５】
尚、本考案は上記実施の形態例に限られものではなく、ケース体１の大きさや折曲側板２ａ・２ｂ・２ｃ・２ｄの折曲構造、保持機構３、係脱機構４の構造等は適宜設計して変更されるものである。
【００１６】
以上、所期の目的を充分達成することができる。
【図面の簡単な説明】
【００１７】
【図１】本考案の実施の形態例の全体斜視図である。
【図２】本考案の実施の形態例の分離斜視図である。
【図３】本考案の実施の形態例の展開状態の斜視図である。
【図４】本考案の実施の形態例の不使用状態の斜視図である。
【図５】本考案の実施の形態例の部分断面図である。
【図６】本考案の実施の形態例の展開状態の部分断面図である。
【図７】本考案の実施の形態例の部分平面図である。
【図８】本考案の実施の形態例の部分分離斜視図である。
【図９】本考案の実施の形態例の部分断面図である。
【符号の説明】
【００１８】
１    ケース体
１ａ    底板
１ｂ    側板
１ｃ    側板
１ｄ    側板
１ｅ    側板
２ａ    折曲側板
２ｂ    折曲側板
２ｃ    折曲側板
２ｄ    折曲側板
２ｅ    折曲側板
３    保持機構
３ａ    フラップ板
３ｂ    フラップ板
４    係脱機構
４ａ    係止穴部
４ｂ    係止凸部
５    補強枠体
５ａ    嵌合凹部
５ｂ    凹溝部
５ｃ    嵌合凸部
【図１】
0003107300.tif 000003
【図２】
0003107300.tif 000004
【図３】
0003107300.tif 000005
【図４】
0003107300.tif 000006
【図５】
0003107300.tif 000007
【図６】
0003107300.tif 000008
【図７】
0003107300.tif 000009
【図８】
0003107300.tif 000010
【図９】
0003107300.tif 000011